(57)【要約】【課題】劇場やホール、家庭などの大きな音や火薬臭を嫌う場所等では火薬を使用しないクラッカーの出現が待望されている。また、片手で操作可能な形式のクラッカーが待望されていた。【解決手段】先端にクラッカーの基部を挿入固定し得る円筒状の圧力ガス噴出路部と、ガス容器の穿孔手段を備えたガス通路部と、ガス容器装着部とからなり、該ガス通路部には、底面には中央にガス容器の蓋部の穿孔用突起とその周囲に複数のガス噴射孔を有し、円筒状側面の上部に係止用凹溝を設けた穿孔用部材内に、圧縮バネを装着して設置し、かつ該係止用凹溝に係止する係止片の係脱操作機構を該ガス通路の外套に設け、圧縮バネの制御をすることにより、圧縮バネの復元反発作用で、ガス容器の蓋部を穿孔してガス容器からガスを噴出させ、クラッカーを発射させるようにしたことを特徴とするクラッカー発射装置。【選択図】  図１
2007093196.tif 000002
【特許請求の範囲】
【請求項１】
先端にクラッカーの基部を固定し得る円筒状の圧力ガス噴出路部と、その後端のガス導出路と、その後端に連接されガス容器の穿孔手段を備えたガス通路部と、ガス容器装着部とからなり、該ガス容器の穿孔手段を備えたガス通路部には、底面には中央にガス容器の蓋部の穿孔用突起とその周囲に複数のガス噴出孔を有し、円筒状側面の上部に係止用凹溝を設けた穿孔用部材内に、ガス容器方向に付勢された圧縮バネを装着して設置し、かつ該係止用凹溝に係止し得る係止片の係脱を操作し得る係脱操作機構を該ガス通路部の外套に設け、圧縮バネを圧縮し、係止片を係止用溝に係止保持されている状態から係脱操作機構を操作して係止を解除し、圧縮バネの復元反発作用で、該穿孔用部材の穿孔用突起がガス容器の蓋部に衝突し穿孔してガス容器からガスを噴出させ、クラッカーを発射させるようにしたことを特徴とするクラッカー発射装置。
【請求項２】
円筒状の圧力ガス噴出路部とガス容器の穿孔手段を備えたガス通路部とをＬ字状に構成したことを特徴とする請求項１に記載のクラッカー発射装置。
【請求項３】
円筒状の圧力ガス噴出路部とガス容器の穿孔手段を備えたガス通路部とを直線状に構成したことを特徴とする請求項１に記載のクラッカー発射装置。
【請求項４】
前記の係止片の係脱を操作し得る係脱操作機構が、ガス通路部の外套に設けられた引き金であることを特徴とする、請求項１、２、若しくは３の何れかに記載のクラッカー発射装置。
【請求項５】
前記の係止片の係脱を操作し得る係脱操作機構が、ガス通路部の外套に設けられた押しボタンスイッチ機構であることを特徴とする、請求項１、２、若しくは３の何れかに記載のクラッカー発射装置。
【請求項６】
前記の係止片の係脱を操作し得る係脱操作機構は、ガス通路部の外套に設けられたスライドスイッチ機構であることを特徴とする、請求項１、２、若しくは３の何れかに記載のクラッカー発射装置。
【請求項７】
ガス導出路とガス容器の穿孔手段を兼ねたたガス通路の間に圧力ガスの噴出量を制御し得るディスクを設けたことを特徴とする請求項１、２、３、４、５、若しくは６の何れかに記載のクラッカー発射装置。
【請求項８】
ガス容器の蓋部の穿孔用突起の周囲の複数のガス噴出孔の数及びサイズを選択することによりガスの噴出量を制御するようにしたことを特徴とする請求項１、２、３、４、５、６、若しくは７の何れかに記載のクラッカー発射装置。
【請求項９】
圧力ガス噴出路の後端に噴出するガスの一部を導出し得る微細孔を設けたことを特徴とする請求項１、２、３、４、５、６、７、若しくは８の何れかに記載のクラッカー発射装置。
【請求項１０】
穿孔手段を備えたガス通路部に噴出するガスの一部を導出し得る微細孔を設けたことを特徴とする請求項１、２、３、４、５、６、７、８、若しくは９の何れかに記載のクラッカー発射装置。
【請求項１１】
ガス容器の蓋部として容易に穿孔し得る金属、樹脂、ゴムから選択されたいずれかの部材を用いたことを特徴とする請求項１、２、３、４、５、６、７、８、９、若しくは１０の何れかに記載のクラッカー発射装置。
【発明の詳細な説明】
【技術分野】
【０００１】
この本発明は、クラッカーの発射装置に関し、より詳細には火薬を使用することなく、加圧ガスを利用したピストル形状或いは円筒状形状のクラッカーの発射装置に関するものである。
【背景技術】
【０００２】
クリスマスパーティーや、結婚披露宴、誕生パーティー、さらには各種エベントで出席者の雰囲気を高め、活気付けるためにクラッカーが多く使用されている。
その場合一般的には紙製の円錐状のクラッカー本体或いはビール瓶型のクラッカー本体に適量の火薬をテープなどとともに収納し、同時に入れられている紙ひもをひくことにより、摩擦により、火薬を爆発させて、複数の着色テープ等をクラッカーの先端から外部に放出するようにしたものが多く用いられている。
【０００３】
また、ピストル形式のものとしては特開２００２−３５００９９があるが、通常のクラッカー格納部を先端に備え、該格納部の後端にクラッカーの紐を格納する紐格納室を設け、ピストル形状のグリップにおける引き金を引くことにより、紐を後方に移動させて、内部の火薬を爆発させて着色テープを外部に放出させる構造である。
【０００４】
【特許文献１】特開平１１−２３０７００号公報
【特許文献２】特開２０００−１８００９６号公報
【特許文献３】特開２００２−１３０９９９号公報
【特許文献４】特開２００２−３５００９９号公報
【特許文献５】特開２００３−２４０４９９号公報
【発明の開示】
【発明が解決しようとする課題】
【０００５】
然しながら、上述の如き火薬を用いるクラッカーは、火薬の破裂音による景気付けに効果があるが、劇場やホール、家庭などの大きな音や火薬臭を嫌う場所等では火薬を使用しないクラッカーの出現が待望されている。
また、従来のクラッカーは火薬を紐で爆発させるために、筒体を片手で持ち、他の片手で紐を引く形式のものが多く、片手で操作できないことは何かにつけて不便であった。
加えて、上述の如き火薬を用いるクラッカーは、火薬の爆発力でその被発射物を発射することから、その被発射物は発射時の火薬の爆発で引火することのないように難燃物である必要があり、そして、誰もが取り扱えるように安全性を考慮して発射に供される火薬は少量に限られることから、その被発射物は軽量である必要があり、その被発射物として重い物や可燃物は用いることが出来なかった。
また、従来のクラッカーは、その被発射物を予め装填しておく必要があり、被放出物を即時に装填して発射することは出来ず、例えば生花の花弁のような経時により劣化するものは被放出物として用いることが出来なかった。
【課題を解決するための手段】
【０００６】
本発明は、上記の課題を解決するためになされたもので、圧力ガスを用いて色別テープや紙吹雪材料などクラッカーの被発射材料を発射するピストル形状若しくは円筒形状の発射装置で、軽量で安全であり、誰でも片手で容易に発射できるようにしたものである。
加えて、従来の火薬を用いるクラッカーでは、被発射物として、引火を懸念して用いることの出来なかった羽毛などの可燃物や、火薬量の制限から用いることの出来なかったぬいぐるみや落下傘などの重い物であっても、被発射物として用いられるようにしたものである。
【０００７】
すなわち、本発明のクラッカー発射装置について述べれば、
請求項１の発明は、先端にクラッカーの基部を固定し得る円筒状の圧力ガス噴出路部と、その後端のガス導出路と、その後端に連接されガス容器の穿孔手段を備えたガス通路部と、ガス容器装着部とからなり、該ガス容器の穿孔手段を備えたガス通路部には、底面には中央にガス容器の蓋部の穿孔用突起とその周囲に複数のガス噴出孔を有し、円筒状側面の上部に係止用凹溝を設けた穿孔用部材内に、ガス容器方向に付勢された圧縮バネを装着して設置し、かつ該係止用凹溝に係止し得る係止片の係脱を操作し得る係脱操作機構を該ガス通路部の外套に設け、圧縮バネを圧縮し、係止片を係止用溝に係止保持されている状態から係脱操作機構を操作して係止を解除し、圧縮バネの復元反発作用で、該穿孔用部材の穿孔用突起がガス容器の蓋部に衝突し穿孔してガス容器からガスを噴出させ、クラッカーを発射させるようにしたことを特徴とするクラッカー発射装置。
請求項２の発明は、円筒状の圧力ガス噴出路部とガス容器の穿孔手段を備えたガス通路部とをＬ字状に構成したことを特徴とする請求項１に記載のクラッカー発射装置であり、
請求項３の発明は、円筒状の圧力ガス噴出路部とガス容器の穿孔手段を備えたガス通路部とを直線状に構成したことを特徴とする請求項１に記載のクラッカー発射装置であり、
請求項４の発明は、前記の係止片の係脱を操作し得る係脱操作機構が、ガス通路部の外套に設けられた引き金であることを特徴とする、請求項１、２、若しくは３の何れかに記載のクラッカー発射装置であり、
請求項５の発明は、前記の係止片の係脱を操作し得る係脱操作機構が、ガス通路部の外套に設けられた押しボタンスイッチ機構であることを特徴とする、請求項１、２、若しくは３の何れかに記載のクラッカー発射装置であり、
請求項６の発明は、前記の係止片の係脱を操作し得る係脱操作機構は、ガス通路部の外套に設けられたスライドスイッチ機構であることを特徴とする、請求項１、２、若しくは３の何れかに記載のクラッカー発射装置であり、
請求項７の発明は、ガス導出路とガス容器の穿孔手段を兼ねたたガス通路の間に圧力ガスの噴出量を制御し得るディスクを設けたことを特徴とする請求項１、２、３、４、５、若しくは６の何れかに記載のクラッカー発射装置であり、
請求項８の発明は、ガス容器の蓋部の穿孔用突起の周囲の複数のガス噴出孔の数及びサイズを選択することによりガスの噴出量を制御するようにしたことを特徴とする請求項１、２、３、４、５、６、若しくは７の何れかに記載のクラッカー発射装置であり、
請求項９の発明は、圧力ガス噴出路の後端に噴出するガスの一部を導出し得る微細孔を設けたことを特徴とする請求項１、２、３、４、５、６、７、若しくは８の何れかに記載のクラッカー発射装置であり、
請求項１０の発明は、穿孔手段を備えたガス通路部に噴出するガスの一部を導出し得る微細孔を設けたことを特徴とする請求項１、２、３、４、５、６、７、８、若しくは９の何れかに記載のクラッカー発射装置であり、
請求項１１の発明は、ガス容器の蓋部として容易に穿孔し得る金属、樹脂、ゴムから選択されたいずれかの部材を用いたことを特徴とする請求項１、２、３、４、５、６、７、８、９、若しくは１０の何れかに記載のクラッカー発射装置である。
【０００８】
なお、本発明で使用されるガスの種類は、炭酸ガス、窒素ガス、空気、酸素ガス、液化石油ガス、ヘリウムガスなどのガスが用いられる。
【０００９】
また、ガス容器は、一般に耐圧性の観点から鉄製であるが、蓋部は穿孔を考慮した金属、ゴム、プラスチックが適宜選択され、特に蓋部の一部例えば中央部を穿孔用突起の衝撃押し圧で穿孔しやすいように正方形又は円形の金属部材を中心としてその周辺を低融点合金や接着剤で一体化してあってもよい。
また、穿孔用突起には超硬質合金が望ましい。
そして、ガス容器は小型で、クラッカーを一回発射するに必要なガスの充填量の小さいものが好ましい。例えば、ガスの充填量は１ｇ乃至２ｇ程度のものが小さいクラッカーの発射に好適である。
【００１０】
なお、本発明で用いられる底面には中央のガス容器の蓋部の穿孔用突起とその周囲の複数のガス噴出孔を有し、円筒状側面の上部に係止用凹溝を設けた穿孔用部材は、真鍮などで作製された銛状の重量と形状のものが好ましく、圧縮バネの反発力で、ガス容器の蓋部に衝突したときに、ガスを内封しているガス容器の蓋を穿孔することが容易である。
【００１１】
通常市販のガス容器のガス充填量は最小でも８ｇ程度あるので、クラッカー発射のためにはガス圧を低く調整する方が好ましく、このため、以下の構造が採用される。
【００１２】
第１に前記の穿孔用部材の底面に設けたガス噴出孔の数及びサイズを選択することにより、噴出するガスの圧力を制御できる。また他のガス圧制御手段としては、第２にガス噴出路とその背後のガス通路の間にガス通路のサイズを制御し得るディスクを嵌着するか、第３にクラッカーを取り付ける穿孔用部材を装着した空間の前面にガスを外部に放出する微細孔を適宜の数設けるか、第４にガス噴出孔の後部よりガスを外部に放出する微細孔を適宜の数設ける等が用いられる。
なお、第３、第４の手段の場合には多数の孔を開け、その任意のものにピンで封止することにより放出ガス量を調整するか、多数の孔の開口割合を制御する蓋を設けるなどで、放出ガス量を調整することが可能である。
なお、クラッカーの取り付け手段は図示の如くねじ込み固定するほか単に挿入したり、クラッカーの基部に取り付け用の介在物を用いて隙間無く構成して取り付けたり、或いはクラッカーの基部とガス噴出路の径が近似している場合は接続スリーブを用いて接続すればよい。
【発明の効果】
【００１３】
本発明によるクラッカー発射装置は、上述の如く構成したことにより、火薬を使用していないので、爆裂音が発生することなく、しかもガス圧により、所望のクラッカーを使用して紙テープや紙吹雪用色紙片はもとより、落下傘、生花の花弁、ぬいぐるみ、カードや籤などの種々の放出物を放出することができ、かつ、引き金の操作で、簡単に取り扱うことができる。更に又、片手で、簡単に操作することができ、単に使用するクラッカーを開口部に取り付ければよいので、火薬を用いるような危険性も無く、爆発音も無く、マイクなどを使用する会場で支障なく、また家庭で近隣を驚かせることなく、好適に使用することができる。
【発明を実施するための最良の形態】
【００１４】
本発明によるクラッカー発射装置の一例について、図示説明する。
【００１５】
図１は、先端にクラッカーＣを装着して発射するクラッカー発射装置Ｂに取り付けた状態の一例で、クラッカー発射装置Ｂは、クラッカーＣの基部Ｃ１を挿入固定し得るクラッカー発射装置Ｂの円筒状の圧力ガス噴出路１１とその背後の比較的細い径のガス通路１２を有し、更に該比較的細い径のガス導出路１２の背後にガス容器の蓋の穿孔手段２２を備えた空間部２１を設け、その中にガス容器の穿孔手段２２を備えたガス通路としている。
穿孔手段２２は、底面２２−１にガス容器３１−１の蓋部３１−３を穿孔するための穿孔用突起２２−２を備え、かつその周囲に複数のガス噴出孔２２−３設け、円筒状側壁２２−４内に圧縮バネ２２−６がガス容器方向に付勢されて装着されている。
また、円筒状側面２２−４の上部には係止用凹溝２２−５を設け、この係止用凹溝２２−５に係止される係止片２２−７を、クラッカー発射装置Ｂの外套にバネ２２−１１で操作され、支点２２−９により回動するようにして取り付けられている引き金２２−１０に連結し、この引き金２２−１０を引いたときに係止用凹溝２２−５から係止片２２−７が外れることにより、穿孔手段２２の圧縮バネ２２−６が反発的に伸張し、穿孔用突起２２−２をガス容器３１−１の蓋部３１−３に衝撃穿孔してガスを噴出させるようになっている。
噴出したガスは穿孔用突起２２−２の周囲のガス噴出孔２２−３を設けてある穿空間部２１内を経て、ガス導出路１２を経、ガス噴出路１１から圧力ガスを噴出させ、クラッカーの内部の色別テープなどの内容物Ｃ２を発射させることができる。
【００１６】
なお、図１においては、圧力ガス噴出路部１１と、ガス容器の穿孔手段２２を備えたガス通路部（空間部）２１とはガス導出路を介して一体でＬ字状に構成され、その後端にはパッキンＰを介して円筒状のガス容器の外套３１−２が気密にかつ分解可能にネジ結合されている。また、ガス容器装着部３１は該ガス容器の外套３１−２の中に、蓋体３１−３を上にしてガス容器３１−１を装着して構成され、該ガス容器の外套３１−２の底部はガス容器底部蓋体３２をパッキンＰを介して気密にかつ分解可能にネジ結合で設けられている。
図ではクラッカーの内部に放出物Ｃ−２として紙テープの若干数を表示したが、このように整列する必要が無いばかりか、紙吹雪用色紙片、落下傘、生花の花弁、ぬいぐるみ、カードや籤などの種々の放出物Ｃ−２を適宜充満内蔵させたものとすることができる。なお、圧力ガス噴出路部１１とガス容器の穿孔手段２２とはある角度で屈曲して構成され、環状パッキンＰを介してガス容器の外套３１−２と気密にかつ分解可能にネジ結合されている。また、図では圧力ガス噴出路部１１とガス容器の穿孔手段２２とはピストル型に傾斜して取り付けているが、直角でもよい。また、ガス容器装着部３１は握り部として機能するので片手での操作が容易である。なお、図１ではワッシャー１３をガス導出路１２の背面に設けて、放出されるガス量を規制するようにしてある。
【００１７】
図２は、全体を真直状態とした場合の他の実施例で、図１と同一箇所には同一符号が付されているので、説明は省略する。サイズの小さい設計では、図にのようにした方がコスト及び軽量、携帯の容易性などの点で利用価値が大きいものと思われる。
【００１８】
上述で説明したクラッカー発射装置Ｂにあっては、その係止片２２−７の係脱を操作するため、係脱操作機構として引き金２２−１０を用いた場合を示しているが、図３乃至５に示すような係脱操作機構であってもよい。
【００１９】
図３は、係脱操作機構を押しボタンとした場合のクラッカー発射装置Ｂの一例を示す断面図であり、押しボタンスイッチ１２２−１０は支点１２２−９で回動可能に支持してあり、一方の端部で係止片１２２−７の頭部１２２−７ａの外套側の首部１２２−７ｂに食い込んで係合しており、他方の端部を操作することで該係止片１２２−７が外套の外方向に飛び出し係止が外れたり、逆に係止したりすることで、係止片１２２−７をガス容器の穿孔手段２２の係止用凹溝２２−５に嵌合したり、外れたりすることができるように形成されている。
なお、クラッカーを発射する時の他は後述する安全ピン２３を安全ピン挿入孔２２−１２に挿入して押しボタンスイッチ１２２−１０の作動を抑止してクラッカーの誤発射を防ぐようにしている。
【００２０】
図４及び図５は、係脱操作機構をスライドスイッチとした場合のクラッカー発射装置Ｂの一例を示す断面図及びその左側からの側面図であり、スライドスイッチ２２２−１０は、外套の所定の位置に設けたスライド溝２２２−１０ａに沿ってスライド可能に取り付けてあり、先端をくさび形として斜面２２２−１０ｂをなし、且つその斜面２２２−１０ｂにはスライド方向のスリット２２２−１０ｃを有している。
そして、該スライド溝２２２−１０ａ内に係止片２２２−７の頭部２２２−７ａを突出した状態において、その外套側の首部２２２−７ｂをスライドスイッチ２２２−１０をスライドしてそのスリット２２２−１０ｃの間に出入し得るようにしてあり、スライドスイッチ２２２−１０がスライドで、その斜面２２２−１０ｂに沿って係止片２２２−７の頭部２２２−７ａが動き、係止片２２２−７が外套から出入りし得るようにしてある。
即ち、図示のように係止片２２−７が係止用凹溝２２−５に食い込んで係止されている状態から、スライドスイッチ２２２−１０をスライドさせると、係止片２２−７は頭部２２−７ａが押し上げられて係止用凹溝２２−５から外れ、穿孔手段２２との係止を解除するようになっている。
【００２１】
これらの係脱操作機構の例はその全体を図２に示すような真直状態としたクラッカー発射装置Ｂであるが、当然にその全体を図１に示すような屈曲状態としたクラッカー発射装置Ｂであっても差し支えない。
なお、図１又は図２と同一の部分については同じ符号を付してあり、その説明は省略してある。また、先端に取り付けられるクラッカーＣは省略してある。
【００２２】
図６は本発明におけるクラッカーと発射装置の結合構造の一例の一部破断分離斜視図で、クラッカーＣの基部Ｃ１をクラッカー発射装置Ｂに挿入する場合に、該基部Ｃ１の端部にＬ字状の溝２０−１を設けておき、クラッカー発射装置Ｂ側にこのＬ字状の溝２０−１に挿入される突起２０−２を設けて、突起と溝とで一体に固定する構造であり、簡単に安定した結合ができる。
また、図７は本発明におけるクラッカーと発射装置の結合構造の他の一例の断面図で、クラッカーＣの基部Ｃ１をクラッカー発射装置Ｂに挿入し、ピン２０−３を挿入固定している。なお、このピンの突き当たりになるところは凹部であても、貫通した孔であってもよい。
【００２３】
図８は、穿孔手段の底面２２−１の一例を示す底面図で、底面２２−１の中央にガス容器３１−１の蓋部３１−３を穿孔するための穿孔用突起２２−２を備え、かつその周囲に複数のガス噴出孔２２−３を均等に設けたものが示されている。２２−４は円筒状側壁である。この噴出孔２２−３の数及び円径を変えることによりガス容器から噴出されるガスを所望量に制御することができる。
【００２４】
図９は引き金の安全ピン２３の一例の斜視図で、安全ピン２３は固定孔２２−１２に挿入したときに、安全ピンは引き金を固定し、暴発を防止することができる。
図１０は、ガス容器の穿孔手段２２の底部を空間部２１内で下方から押し上げてバネを圧縮する押し上げ治具２４の斜視図で、先端が穿孔用突起を押し圧する細径の円筒状で、後部は握り部を形成し、やや太径の円柱となっている。
【００２５】
図１１は圧縮バネの装着部の円筒状の圧力ガス噴出路部１１の後端に連通してガス放出用の微小孔１１−１及びその外套への出口のガスの流量を制御できるネジ蓋１１−２が示されており、ここから噴出ガスの一部を放出することにより、クラッカーの噴出ガス圧力を小さくすることができる。
また、図１２は、穿孔手段２２を内臓するガス通路（空間部）２１の前方に、ガス放出用微小孔２１−１を設けた場合を示し、ここを通じて噴出ガスの一部を放出することにより、クラッカーの噴出ガス圧力を小さくすることができる。２１−２はガスの放出量を制御するための調節用可動蓋である。なお、図１と同一箇所には同一符号が付されている。
【００２６】
なおクラッカーの基部と圧力ガス噴出路の結合は、図１乃至図７に示すもの以外に単に挿入してもよいし、両者同径の場合はスリーブ結合してもよい。また必要に応じて噴出するガス圧を調整するようにワッシャー１３を設けてもよい。また係脱操作機構は上記の記載に限定されず、例えばスプリングを用いたスイッチ構造とすることも出来る。
【産業上の利用可能性】
【００２７】
本発明による放出物発射装置は、クリスマスパーティーや、結婚披露宴、誕生パーティー、さらには各種イベントで出席者の雰囲気を高め、活気付けるためにクラッカーが多く使用されている。
その場合一般的には放出物として内部に複数の色別テープ等の放出物を収納してクラッカーとするが、クラッカーを多数用意して、反復して打ち上げることができ、必要なときに必要な量の放出物を極めて簡単に放出させて、雰囲気を高めることができる。
即ち、生花の花弁のような経時に劣化するような放出物であっても、必要に応じて発射する直前に装填して発射することを可能とし、発射する際には火薬特有の臭気を伴わず生花の芳香を妨げることがない。
【図面の簡単な説明】
【００２８】
【図１】本発明によるクラッカーの発射装置の係脱操作機構を引き金とした場合の一例を示す断面図
【図２】本発明によるクラッカーの発射装置の係脱操作機構を引き金とした場合の他の一例を示す断面図
【図３】本発明によるクラッカーの発射装置の係脱操作機構を押しボタンとした場合の一例を示す断面図
【図４】本発明によるクラッカーの発射装置の係脱操作機構をスライドスイッチとした場合の一例を示す断面図
【図５】図５の左側面図
【図６】本発明におけるクラッカーと発射装置の結合構造の一例の一部破断分離斜視図
【図７】本発明におけるクラッカーと発射装置の結合構造の他の一例の断面図
【図８】本発明に於いて用いられる穿孔用部材の底面図
【図９】安全ピンの斜視図
【図１０】穿孔用部材の押し圧装着用治具の斜視図
【図１１】ガス圧放出路を設けた要部の一例の断面図
【図１２】ガス圧放出路を設けた要部の他の一例の断面図
【符号の説明】
【００２９】
１１          圧力ガス噴出路部
１１−１      ガス放出用微小孔
１１−２      調節ネジ
１２          ガス導出路
１３          ワシャー
２０−１      Ｌ字状の溝
２０−２      突起
２０−３      ピン
２１          空間部
２１−１      ガス放出用微小孔
２１−２      調節用可動蓋
２２          ガス容器の穿孔手段
２２−１      底面
２２−２      穿孔用突起
２２−３      ガス噴出孔
２２−４      円筒状側壁
２２−５      係止用凹溝
２２−６      圧縮バネ
２２−７      係止片
２２−９      支点
２２−１０    引き金
１２２−７    係止片
１２２−７ａ  頭部
１２２−７ｂ  首部
１２２−９    支点
１２２−１０  押しボタンスイッチ
２２２−７    係止片
２２２−７ａ  頭部
２２２−７ｂ  首部
２２２−１０  スライドスイッチ
２２２−１０ａスライド溝
２２２−１０ｂ斜面
２２２−１０ｃスリット
２２−１１    バネ
２２−１２    安全ピン挿入孔
２３          安全ピン
２４          押し上げ治具
３１          ガス容器装着部
３１−１      ガス容器
３１−２      ガス容器の外套
３１−３      蓋体
３２          ガス容器底部蓋体
Ｂ            クラッカー発射装置
Ｃ            クラッカー
Ｃ１          クラッカー基部
Ｃ２          クラッカー内容物
Ｐ            環状パッキン
【図１】
2007093196.tif 000003
【図２】
2007093196.tif 000004
【図３】
2007093196.tif 000005
【図４】
2007093196.tif 000006
【図５】
2007093196.tif 000007
【図６】
2007093196.tif 000008
【図７】
2007093196.tif 000009
【図８】
2007093196.tif 000010
【図９】
2007093196.tif 000011
【図１０】
2007093196.tif 000012
【図１１】
2007093196.tif 000013
【図１２】
2007093196.tif 000014